(57)【特許請求の範囲】
【請求項１】
電気泳動表示装置であって、
入力された基準信号をカウントして時刻を計時し、時刻情報を出力する計時カウンターと、
一対の基板間に電気泳動粒子を含む電気泳動素子を狭持し、画像を表示する表示部と、
前記表示部の使用環境温度を計測し、前記使用環境温度に基づく温度情報を出力する温度検出部と、
外部入力を検出して、その結果を外部入力情報として出力する外部入力検出部と、
前記表示部を制御する制御部と、を含み、
前記制御部は、
前記時刻情報に基づいて前記表示部に時刻表示をさせる通常表示制御と、
前記温度情報に基づいて前記表示部に所与の使用環境温度表示をさせる温度情報表示制御と、
前記外部入力情報に基づいて前記通常表示制御と前記温度情報表示制御とを切り替える制御と、を行い、
前記温度情報表示制御においては、前記所与の使用環境温度表示として、所与の上限値以上、及び所与の下限値以下、の少なくとも一方の温度が計測された時間の積算値を表示させる、電気泳動表示装置。
【請求項２】
電気泳動表示装置であって、
入力された基準信号をカウントして時刻を計時し、時刻情報を出力する計時カウンターと、
一対の基板間に電気泳動粒子を含む電気泳動素子を狭持し、画像を表示する表示部と、
前記表示部の使用環境温度を計測し、前記使用環境温度に基づく温度情報を出力する温度検出部と、
外部入力を検出して、その結果を外部入力情報として出力する外部入力検出部と、
前記表示部を制御する制御部と、を含み、
前記制御部は、
前記時刻情報に基づいて前記表示部に時刻表示をさせる通常表示制御と、
前記温度情報に基づいて前記表示部に所与の使用環境温度表示をさせる温度情報表示制御と、
前記外部入力情報に基づいて前記通常表示制御と前記温度情報表示制御とを切り替える制御と、を行い、
前記温度情報表示制御においては、前記所与の使用環境温度表示として、所与の上限値以上の温度が計測された回数、及び所与の下限値以下の温度が計測された回数、の少なくとも一方を表示させる、電気泳動表示装置。
【請求項３】
請求項１または２に記載の電気泳動表示装置において、
前記制御部は、
前記温度情報表示制御においては、前記所与の使用環境温度表示として、計測された温度の最高値、及び最低値、の少なくとも一方を表示させる、電気泳動表示装置。
【請求項４】
請求項１から３のいずれか１項に記載の電気泳動表示装置において、
前記制御部は、
前記外部入力検出部が通常とは異なる所定の外部入力を検出した場合に前記温度情報表示制御を行う、電気泳動表示装置。
【請求項５】
請求項１から４のいずれか１項に記載の電気泳動表示装置を含む電子機器。
【請求項６】
入力された基準信号をカウントして時刻を計時し、時刻情報を出力する計時カウンターと、一対の基板間に電気泳動粒子を含む電気泳動素子を狭持し、画像を表示する表示部と、前記表示部の使用環境温度を計測し、前記使用環境温度に基づく温度情報を出力する温度検出部と、外部入力を検出して、その結果を外部入力情報として出力する外部入力検出部と、を含む電気泳動表示装置の駆動方法であって、
前記時刻情報に基づいて前記表示部に時刻表示をさせる通常表示工程と、
前記温度情報に基づいて前記表示部に所与の使用環境温度表示をさせる温度情報表示工程と、
前記外部入力情報に基づいて前記通常表示工程と前記温度情報表示工程とを切り替える工程と、を含み、
前記温度情報表示工程は、前記所与の使用環境温度表示として、所与の上限値以上、及び所与の下限値以下、の少なくとも一方の温度が計測された時間の積算値を表示させる、電気泳動表示装置の駆動方法。
【請求項７】
入力された基準信号をカウントして時刻を計時し、時刻情報を出力する計時カウンターと、一対の基板間に電気泳動粒子を含む電気泳動素子を狭持し、画像を表示する表示部と、前記表示部の使用環境温度を計測し、前記使用環境温度に基づく温度情報を出力する温度検出部と、外部入力を検出して、その結果を外部入力情報として出力する外部入力検出部と、を含む電気泳動表示装置の駆動方法であって、
前記時刻情報に基づいて前記表示部に時刻表示をさせる通常表示工程と、
前記温度情報に基づいて前記表示部に所与の使用環境温度表示をさせる温度情報表示工程と、
前記外部入力情報に基づいて前記通常表示工程と前記温度情報表示工程とを切り替える工程と、を含み、
前記温度情報表示工程は、前記所与の使用環境温度表示として、所与の上限値以上の温度が計測された回数、及び所与の下限値以下の温度が計測された回数、の少なくとも一方を表示させる、電気泳動表示装置の駆動方法。
【請求項８】
請求項６または７に記載の電気泳動表示装置の駆動方法において、
前記温度情報表示工程は、前記所与の使用環境温度表示として、計測された温度の最高
値、及び最低値、の少なくとも一方を表示させる、電気泳動表示装置の駆動方法。
【発明の詳細な説明】
【技術分野】
【０００１】
本発明は、電気泳動表示装置、電気泳動表示装置の駆動方法、電子機器等に関する。
【背景技術】
【０００２】
近年、電源を切っても画像を保持できるメモリー性を有する表示パネルが開発され、電子時計等にも使用されている。メモリー性を有する表示パネルとしては、ＥＰＤ（Electrophoretic Display）すなわち電気泳動表示装置や、メモリー性液晶表示装置等が知られている。例えば、電気泳動表示装置は、メモリー性という性質の他にも、視野角の広さ、コントラストの高さ、柔軟性などの優れた利点がある。
【０００３】
しかし、特許文献１によると、電気泳動表示装置では温度の変動により分散液の抵抗等が変化し、印加電圧や残留電荷に影響を及ぼす。そのため、使用環境温度によっては、安定した表示状態が得られない可能性がある。特に、高温（例えば５０℃以上）での使用は、表示部分にいわゆる焼き付きを生じさせる恐れがあり、焼き付きは電気泳動表示装置の品質を著しく劣化させる。
【先行技術文献】
【特許文献】
【０００４】
【特許文献１】特開２００６−８５０９７号公報
【発明の概要】
【発明が解決しようとする課題】
【０００５】
そのため一般に、電気泳動表示装置には安定した表示性能を維持できる使用温度範囲（例えば−５℃〜５０℃）が定められている。ユーザーは定められた使用温度範囲内での使用を求められる。
【０００６】
しかし、例えばユーザーがうっかり電気泳動表示装置を暑い日に自動車内等に放置したような場合、電気泳動表示装置は使用温度範囲を越える高温にさらされる可能性がある。そして、後日にその電気泳動表示装置が品質劣化や故障を生じた場合、修理を行う者が使用温度範囲外の使用が原因なのか、他に原因があるのかを判別することは困難である。もし、原因を特定できれば、修理に要する時間が短縮され、ユーザーに対し良好なカスタマーサービスを提供することができる。
【０００７】
本発明はこのような問題点に鑑みてなされたものである。本発明のいくつかの態様によれば、使用温度範囲外での使用を履歴として残し、修理、メンテナンスしやすい電気泳動表示装置等を提供することができる。
【課題を解決するための手段】
【０００８】
（１）本発明は、電気泳動表示装置であって、入力された基準信号をカウントして時刻を計時し、時刻情報を出力する計時カウンターと、一対の基板間に電気泳動粒子を含む電気泳動素子を狭持し、画像を表示する表示部と、前記表示部の使用環境温度を計測し、前記使用環境温度に基づく温度情報を出力する温度検出部と、外部入力を検出して、その結果を外部入力情報として出力する外部入力検出部と、前記表示部を制御する制御部と、を含み、前記制御部は、前記時刻情報に基づいて前記表示部に時刻表示をさせる通常表示制御と、前記温度情報に基づいて前記表示部に所与の使用環境温度表示をさせる温度情報表示制御と、前記外部入力情報に基づいて前記通常表示制御と前記温度情報表示制御とを切り替える制御と、を行う。
【０００９】
本発明によれば、時刻表示をさせる通常表示制御だけでなく、使用環境温度表示をさせる温度情報表示制御を行う。使用環境温度に関する表示が行われるため、万一の故障や不具合等が生じた場合に、原因を特定する時間を早めることができ、ユーザーに対し良好なカスタマーサービスを行うことを可能にする電気泳動表示装置を提供できる。
【００１０】
（２）この電気泳動表示装置において、前記制御部は、前記温度情報表示制御においては、前記所与の使用環境温度表示として、所与の上限値以上、及び所与の下限値以下、の少なくとも一方の温度が計測された時間の積算値を表示させてもよい。
【００１１】
本発明によれば、上限値以上、及び下限値以下の少なくとも一方の温度が計測された時間の積算値が表示される。この積算時間に基づいて、例えば表示部に焼き付きなどの品質上の問題が生じる恐れを従来よりも正確に予測したり、メンテナンス時に交換するか否かを適切に判断したりできる。そして、ユーザーに対し良好なカスタマーサービスを提供することができる。ここで、上限値や下限値は予め決められた固定的な値でもよいし、設定や変更が可能な値であってもよい。
【００１２】
（３）この電気泳動表示装置において、前記制御部は、前記温度情報表示制御においては、前記所与の使用環境温度表示として、所与の上限値以上の温度が計測された回数、及び所与の下限値以下の温度が計測された回数、の少なくとも一方を表示させてもよい。
【００１３】
本発明によれば、上限値以上の温度が計測された回数、及び下限値以下の温度が計測された回数の少なくとも一方が表示される。この表示された回数に基づいて、例えば表示部に焼き付きなどの品質上の問題が生じる恐れを従来よりも正確に予測したり、メンテナンス時に交換するか否かを適切に判断したりできる。そして、ユーザーに対し良好なカスタマーサービスを提供することができる。
【００１４】
（４）この電気泳動表示装置において、前記制御部は、前記温度情報表示制御においては、前記所与の使用環境温度表示として、計測された温度の最高値、及び最低値、の少なくとも一方を表示させてもよい。
【００１５】
本発明によれば、使用環境温度の最高値、及び最低値の少なくとも一方が表示される。この最高値又は最低値の表示は、万一の故障や不具合等が生じた場合に、原因の特定を容易にする。例えば、表示部に焼き付きなどの問題が万一生じた場合には、使用環境温度の最高値を調べることで、使用環境に問題があったか否かが分かる。このことにより、原因を特定する時間を早めることができ、ユーザーに対し良好なカスタマーサービスを提供することができる。
【００１６】
（５）本発明は、前記電気泳動表示装置を含む電子機器であってもよい。
【００１７】
本発明によれば、使用環境温度に関する表示が行われるため、万一の故障や不具合等が生じた場合に、原因を特定する時間を早めることができ、ユーザーに対し良好なカスタマーサービスを行うことを可能にする、電気泳動表示装置を含む電子機器を提供できる。
【００１８】
（６）本発明は、入力された基準信号をカウントして時刻を計時し、時刻情報を出力する計時カウンターと、一対の基板間に電気泳動粒子を含む電気泳動素子を狭持し、画像を表示する表示部と、前記表示部の使用環境温度を計測し、前記使用環境温度に基づく温度情報を出力する温度検出部と、外部入力を検出して、その結果を外部入力情報として出力する外部入力検出部と、を含む電気泳動表示装置の駆動方法であって、前記時刻情報に基づいて前記表示部に時刻表示をさせる通常表示工程と、前記温度情報に基づいて前記表示部に所与の使用環境温度表示をさせる温度情報表示工程と、前記外部入力情報に基づいて前記通常表示工程と前記温度情報表示工程とを切り替える工程と、を含む。
【００１９】
本発明によれば、時刻表示をさせる通常表示工程だけでなく、使用環境温度表示をさせる温度情報表示工程を行う。使用環境温度に関する表示が行われるため、万一の故障や不具合等が生じた場合に、原因を特定する時間を早めることができ、ユーザーに対し良好なカスタマーサービスを行うことを可能にする電気泳動表示装置を提供できる。
【００２０】
（７）この電気泳動表示装置の駆動方法において、
前記温度情報表示工程は、前記所与の使用環境温度表示として、所与の上限値以上、及び所与の下限値以下、の少なくとも一方の温度が計測された時間の積算値を表示させてもよい。
【００２１】
本発明によれば、上限値以上、及び下限値以下の少なくとも一方の温度が計測された時間の積算値が表示される。この積算時間に基づいて、例えば表示部に焼き付きなどの品質上の問題が生じる恐れを従来よりも正確に予測したり、メンテナンス時に部品交換すべきか否かを適切に判断したりできる。そして、ユーザーに対し良好なカスタマーサービスを提供することができる。
【００２２】
（８）この電気泳動表示装置の駆動方法において、前記温度情報表示工程は、前記所与の使用環境温度表示として、所与の上限値以上の温度が計測された回数、及び所与の下限値以下の温度が計測された回数、の少なくとも一方を表示させてもよい。
【００２３】
本発明によれば、上限値以上の温度が計測された回数、及び下限値以下の温度が計測された回数の少なくとも一方が表示される。この表示された回数に基づいて、例えば表示部に焼き付きなどの品質上の問題が生じる恐れを従来よりも正確に予測したり、メンテナンス時に交換するか否かを適切に判断したりできる。そして、ユーザーに対し良好なカスタマーサービスを提供することができる。
【００２４】
（９）この電気泳動表示装置の駆動方法において、前記温度情報表示工程は、前記所与の使用環境温度表示として、計測された温度の最高値、及び最低値、の少なくとも一方を表示させてもよい。
【００２５】
本発明によれば、使用環境温度の最高値、及び最低値の少なくとも一方が表示される。この最高値又は最低値の表示は、万一の故障や不具合等が生じた場合に、原因の特定を容易にする。例えば、表示部に焼き付きなどの問題が万一生じた場合には、使用環境温度の最高値を調べることで、使用環境に問題があったか否かが分かる。このことにより、原因を特定する時間を早めることができ、ユーザーに対し良好なカスタマーサービスを提供することができる。
【図面の簡単な説明】
【００２６】
【図１】第１実施形態における電気泳動表示装置のブロック図。
【図２】第１実施形態における電気泳動表示装置の別のブロック図。
【図３】第１実施形態における電気泳動表示装置の画素の構成例を示す図。
【図４】図４（Ａ）は電気泳動素子の構成例を示す図。図４（Ｂ）、図４（Ｃ）は電気泳動素子の動作の説明図。
【図５】第１実施形態における計時カウンターの構成例を示す図。
【図６】図６（Ａ）は温度センサーが測定した温度の例を示す図。図６（Ｂ）は温度検出回路が検出する対象を示す図。図６（Ｃ）は積算処理回路が積算する対象を示す図。
【図７】図７（Ａ）は第１実施形態における通常表示モードの表示例を示す図。図７（Ｂ）〜図７（Ｃ）は第１実施形態における温度情報表示モードの表示例を示す図。
【図８】第１実施形態におけるフローチャート。
【図９】図９（Ａ）は電子機器の一例である腕時計の図、図９（Ｂ）は電子機器の一例である携帯端末機器の図。
【発明を実施するための形態】
【００２７】
１．第１実施形態
本発明の第１実施形態について図１〜図８を参照して説明する。
【００２８】
１．１．電気泳動表示装置の構成
図１は、本実施形態に係る電気泳動表示装置１００のブロック図である。
【００２９】
電気泳動表示装置１００は、制御部１、計時カウンター２、表示部（ＥＰＤ）３、外部入力検出部４、温度検出部５を含む。
【００３０】
計時カウンター２は、入力された基準信号１２０をカウントして時刻を計時し、時刻情報１２２を出力する。ここで、基準信号１２０は、例えば１Ｈｚのクロックである。電気泳動表示装置１００は、発振回路（図外）と、発振回路からの出力信号を分周して１Ｈｚのクロックを生成する分周回路（図外）とを含んでいてもよい。
【００３１】
表示部３は、一対の基板間に電気泳動粒子を含む電気泳動素子を狭持し、画像を表示する。ここで、画像とは図形のみならず、文字や数字、記号なども含めた広範な画像を意味する。本実施形態では、アクティブマトリックス駆動方式の電気泳動表示装置１００であるとして、図形や文字、数字、記号などの様々な画像を自由に表示することが可能である。なお、本発明の駆動方式はアクティブマトリックス方式に限らず、セグメント方式であってもよい。
【００３２】
外部入力検出部４は、外部入力４４、４６、４７、４８（以下、外部入力４４等と表記する）を検出して、その結果を外部入力情報１２４、１２６、１２７、１２８（以下、外部入力情報１２４等と表記する）として出力する。なお、外部入力の数は任意であり、４つに限るものではない。
【００３３】
温度検出部５は、表示部３が使用される環境の温度（使用環境温度）を測定して、温度情報１４０として出力する。温度情報１４０には、現在の使用環境温度、現在までの使用環境温度の履歴だけでなく、所与の温度条件を満たした時刻や積算時間などの情報が含まれていてもよい。
【００３４】
温度検出部５は、温度センサー５１、温度検出回路５３、積算処理回路５７、記憶手段５９を含んでいてもよい。
【００３５】
温度センサー５１は表示部３の使用環境温度を測定し、測定した使用環境温度情報１３６を温度検出回路５３に出力してもよい。なお、温度センサー５１は例えば、表示部３の表面温度等を直接測定してもよいし、電気泳動表示装置１００の周囲の温度を測定して、計算により間接的に表示部３の使用環境温度を求めてもよい。また、温度センサー５１は常に表示部３の使用環境温度を測定してもよいし、１分毎、１０分毎又は１時間毎など定期的に測定を行ってもよい。
【００３６】
温度検出回路５３は、例えば使用環境温度の測定を開始してからの最高値、最低値などを検出してもよいし、使用温度範囲（例えば−５℃〜５０℃）外であるかを検出してもよい。そして、温度検出回路５３は、現在の使用環境温度、更新があった場合の最高値や最低値、現在の使用環境温度が使用温度範囲外か否かの情報を含む検出温度情報１３８を、積算処理回路５７に出力したり、記憶手段５９に書き込んだりしてもよい。
【００３７】
積算処理回路５７は、計時カウンター２からの時刻情報１２２も受け取り、検出温度情報１３８に基づいて必要な時間を積算、計算又は取得して記憶手段５９に書き込んでもよい。必要な時間とは、例えば、使用環境温度が使用温度範囲外となった時間の積算値であってもよいし、最高値や最低値が更新された日付や時間であってもよい。
【００３８】
温度検出回路５３、積算処理回路５７によって記憶手段５９に書き込まれたこれらの情報は、使用環境温度情報１４０として温度検出部５から制御部１に出力されてもよい。
【００３９】
制御部１は、使用環境温度情報１４０、時刻情報１２２、外部入力情報１２４等に基づいて、表示部３を制御信号１３０によって制御する。制御部１は、外部入力情報１２４等に基づいて定められる表示モードを切り替えることで、表示部３に表示する画像を変更してもよい。また、制御部１は制御信号１３２によって計時カウンター２の値を変更したり、計時カウンター２がカウントすることを許可したり、停止したりしてもよい。
【００４０】
本実施形態では、制御部１は少なくとも通常表示制御と温度情報表示制御とを行う。通常表示制御は、表示部３に時刻情報１２２に基づいて時刻表示を行う場合の制御である。温度情報表示制御は、例えばメンテナンスを行う者が外部入力４４等によって、表示部３に使用環境温度情報１４０の内容を表示させる場合の制御である。
【００４１】
制御部１は、表示制御回路１０とコントローラー１２を含んでいてもよい。ここで、表示制御回路１０は、表示部３に所望の画像を表示させる制御信号１３０を出力する回路であってもよい。コントローラー１２は、時刻情報１２２や外部入力情報１２４等に基づいて、計時カウンターを制御する制御信号１３２や表示制御回路１０に対する内部信号１３４を出力する機能ブロックであってもよい。なお、コントローラー１２はＣＰＵであってもよい。
【００４２】
図２は、本実施形態に係るアクティブマトリックス駆動方式の電気泳動表示装置１００
のブロック図である。ここでは、計時カウンター２、外部入力検出部４、温度検出部５については記載を省略し、制御部１と表示部３との接続等について詳しく述べる。
【００４３】
電気泳動表示装置１００は、複数の画素４０が配列された表示部３を含む。制御部１は表示部３を制御する。制御部１は、走査線駆動回路６１、データ線駆動回路６２、コントローラー１２、共通電源変調回路６４を含む。ここで、本実施形態では、走査線駆動回路６１、データ線駆動回路６２、共通電源変調回路６４が表示制御回路１０を構成する。
【００４４】
走査線駆動回路６１、データ線駆動回路６２，共通電源変調回路６４は、それぞれコントローラー１２と接続されている。コントローラー１２は、時刻情報１２２や使用環境温度情報１４０のみならず、図外から供給される時刻情報以外の画像信号や同期信号に基づいて、これらを総合的に制御する。なお、コントローラー１２は、記憶部（図外）を含んでいてもよい。記憶部は、ＳＲＡＭ、ＤＲＡＭ、ＥＥＰＲＯＭ、その他のメモリーであってもよいし、一部にＲＯＭを含んでもよい。記憶部は、表示部３に表示させる画像情報を記憶していてもよい。
【００４５】
表示部３は、表示制御回路１０（走査線駆動回路６１、データ線駆動回路６２、共通電源変調回路６４）からの制御信号に基づいて、例えば、時刻を１０：０８のように表示する。表示部３には、走査線駆動回路６１から延びる複数の走査線６６と、データ線駆動回路６２から延びる複数のデータ線６８とが形成されており、これらの交差位置に対応して画素４０が設けられている。
【００４６】
走査線駆動回路６１は、ｍ本の走査線６６（Ｙ１、Ｙ２、…、Ｙｍ）により各画素４０に接続されている。走査線駆動回路６１は、コントローラー１２の制御に従って１行目からｍ行目までの走査線６６を順次選択することで、画素４０に設けられた駆動用ＴＦＴ４１（図３参照）のオンタイミングを規定する選択信号を供給する。
【００４７】
データ線駆動回路６２は、ｎ本のデータ線６８（Ｘ１、Ｘ２、…、Ｘｎ）により各画素４０に接続されている。データ線駆動回路６２は、コントローラー１２の制御に従って、画素４０のそれぞれに対応する１ビットの画像データを規定する画像信号を画素４０に供給する。なお、本実施形態では、画素データ「０」を規定する場合には、ローレベルの画像信号を画素４０に供給し、画像データ「１」を規定する場合には、ハイレベルの画像信号を画素４０に供給するものとする。
【００４８】
表示部３には、また、共通電源変調回路６４から延びる低電位電源線４９（Ｖｓｓ）、高電位電源線５０（Ｖｄｄ）、共通電極配線５５（Ｖｃｏｍ）、第１の制御線９１（Ｓ１）、第２の制御線９２（Ｓ２）が設けられており、それぞれの配線は画素４０と接続されている。共通電源変調回路６４は、コントローラー１２の制御に従って上記配線のそれぞれに供給する各種信号を生成する一方、これら各配線の電気的な接続及び切断（ハイインピーダンス化、Ｈｉ−Ｚ）を行う。
【００４９】
１．２．画素部分の回路構成
図３は、図２の画素４０の回路構成図である。
【００５０】
画素４０には、駆動用ＴＦＴ（Thin Film Transistor）４１と、ラッチ回路７０と、スイッチ回路８０が設けられている。画素４０は、ラッチ回路７０により画像信号を電位として保持するＳＲＡＭ（Static Random Access Memory）方式の構成をとる。なお、図２と同じ配線には同じ番号を付しており、説明は省略する。また、全画素に共通の共通電極配線５５については記載を省略している。
【００５１】
駆動用ＴＦＴ４１は、Ｎ−ＭＯＳトランジスタからなる画素スイッチング素子である。駆動用ＴＦＴ４１のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。インバーター７０ｔ、７０ｆには、低電位電源線４９（Ｖｓｓ）と高電位電源線５０（Ｖｄｄ）から電源電圧が供給される。
【００５２】
スイッチ回路８０は、トランスミッションゲートＴＧ１、ＴＧ２からなり、ラッチ回路７０に記憶された画素データのレベルに応じて、画素電極３５（図４（Ｂ）、図４（Ｃ）参照）に信号を出力する。図３のＶａは、１つの画素４０の画素電極へ供給される電位（信号）を意味する。ここで、本実施形態では、アクティブマトリックス駆動方式の電気泳動表示装置１００を用いるため、電気泳動表示装置１００の駆動電極は画素電極である。よって、画素電極という名称を用いて説明する。なお、駆動電極は画素電極ではなく、セグメント電極であってもよい。
【００５３】
ラッチ回路７０に画像データ「１」（ハイレベルの画像信号）が記憶されて、トランスミッションゲートＴＧ１がオン状態となると、スイッチ回路８０はＶａとして電位Ｓ１を供給する。一方、ラッチ回路７０に画像データ「０」（ローレベルの画像信号）が記憶されて、トランスミッションゲートＴＧ２がオン状態となると、スイッチ回路８０はＶａとして電位Ｓ２を供給する。このような回路構成により、制御部１はそれぞれの画素４０の画素電極に対して供給する電位（信号）を制御することが可能である。なお、画素４０の回路構成は一例であり、図３に示すものに限られない。
【００５４】
１．３．表示方式
本実施形態の電気泳動表示装置１００は、二粒子系マイクロカプセル型の電気泳動方式であるとする。分散液は無色透明、泳動粒子は白色又は黒色であるとすると、電気泳動表示装置１００は、白色又は黒色の２色を基本色として少なくとも２色を表示可能である。
【００５５】
図４（Ａ）は、本実施形態の電気泳動素子３２の構成を示す図である。電気泳動素子３２は素子基板３０と対向基板３１（図４（Ｂ）、図４（Ｃ）参照）との間に挟まれている。電気泳動素子３２は、複数のマイクロカプセル２０を配列して構成される。マイクロカプセル２０は、例えば無色透明な分散液と、複数の白色粒子（電気泳動粒子）２７と、複数の黒色粒子（電気泳動粒子）２６とを封入している。本実施形態では、例えば白色粒子２７は負に帯電しており、黒色粒子２６は正に帯電しているとする。
【００５６】
図４（Ｂ）は、電気泳動表示装置１００の表示部３の部分断面図である。素子基板３０と対向基板３１は、マイクロカプセル２０を配列してなる電気泳動素子３２を狭持している。表示部３は、素子基板３０の電気泳動素子３２側に、複数の画素電極３５が形成された駆動電極層３５０を含む。図４（Ｂ）では、画素電極３５として画素電極３５Ａと画素電極３５Ｂが示されている。画素電極３５により、画素ごとに電位を供給することが可能である（例えば、Ｖａ、Ｖｂ）。ここで、画素電極３５Ａを有する画素を画素４０Ａとし、画素電極３５Ｂを有する画素を画素４０Ｂとする。画素４０Ａ、画素４０Ｂは画素４０（図２、図３参照）のうちの２つの画素である。
【００５７】
一方、対向基板３１は透明基板であり、表示部３において対向基板３１側に画像表示がなされる。表示部３は、対向基板３１の電気泳動素子３２側に、平面形状の共通電極３７が形成された共通電極層３７０を含む。なお、共通電極３７は透明電極である。共通電極３７は、画素電極３５と異なり全画素に共通の電極であり、電位Ｖｃｏｍが供給される。
【００５８】
共通電極層３７０と駆動電極層３５０との間に設けられた電気泳動表示層３６０に電気泳動素子３２が配置されており、電気泳動表示層３６０が表示領域となる。共通電極３７と画素電極（例えば、３５Ａ、３５Ｂ）との間の電位差に応じて、画素毎に所望の表示色を表示させることができる。
【００５９】
図４（Ｂ）では、共通電極側電位Ｖｃｏｍが画素４０Ａの画素電極の電位Ｖａよりも高電位である。このとき、負に帯電した白色粒子２７が共通電極３７側に引き寄せられ、正に帯電した黒色粒子２６が画素電極３５Ａ側に引き寄せられるため、画素４０Ａは白を表示していると視認される。
【００６０】
図４（Ｃ）では、共通電極側電位Ｖｃｏｍが画素４０Ａの画素電極の電位Ｖａよりも低電位である。このときは逆に、正に帯電した黒色粒子２６が共通電極３７側に引き寄せられ、負に帯電した白色粒子２７が画素電極３５Ａ側に引き寄せられるため、画素４０Ａは黒を表示していると視認される。なお、図４（Ｃ）の構成は図４（Ｂ）と同様である。
【００６１】
１．４．計時カウンター
図５は、第１実施形態における計時カウンター２の構成例を示す。
【００６２】
本実施形態の計時カウンター２は、時刻情報１２２の構成要素である時刻情報１２２Ａ〜１２２Ｆを出力する。ここで、時刻情報とは、年、月、日・週についての情報（カレンダー情報）も含めた総称として用いるとする。
【００６３】
本実施形態の計時カウンター２は、具体的には、秒カウンター２０１、分カウンター２０２、時カウンター２０３、日・週カウンター２０４、月カウンター２０５、年カウンター２０６を含む。それぞれのカウンターが保持する時刻情報１２２Ａ〜１２２Ｆは、時刻情報１２２として制御部１に出力される。
【００６４】
また、制御部１は、時刻情報を補正する場合などに、カウンター値調整信号１３２Ａ〜１３２Ｆによってカウンター２０１〜２０６のそれぞれの値を変更することができる。ここで、カウンター値調整信号１３２Ａ〜１３２Ｆは、制御部１からの制御信号１３２を構成する信号である。カウンター値調整信号１３２Ａ〜１３２Ｆは、カウンター２０１〜２０６の値を直接書き込む信号でもよいし、インクリメント又はデクリメントする信号であってもよい。また、カウンター２０１〜２０６を個別にリセットする、すなわち値を０にする信号であってもよい。
【００６５】
カウンター２０１〜２０６は、それぞれ、秒桁上げ信号２２０、分桁上げ信号２２１、時桁上げ信号２２２、日・週桁上げ信号２２３、月桁上げ信号２２４、年桁上げ信号２２５によってインクリメントされる。本実施形態では、桁上げ信号２２１〜２２５は、正論理の信号であり、基準信号１２０と下位のカウンターからの桁上げ許可信号２１１〜２１５との論理積をとった信号である。なお、秒桁上げ信号２２０は、基準信号１２０と制御部１からのイネーブル信号１３２Ｇ（制御信号１３２を構成する信号の１つ）との論理積をとった信号である。よって、制御部１は、イネーブル信号１３２Ｇをローレベルとすることで、計時カウンター２の動作を停止させることができる。なお、計時カウンター２の構成は一例であり、図５に示すものに限られない。
【００６６】
１．５．温度検出部
図６（Ａ）は、温度センサー５１が測定する使用環境温度の例を示す。縦軸は温度であり、−５℃（下限値）と５０℃（上限値）は、それぞれ使用温度範囲の境界値の例である。例えば、使用環境温度が上限値（例えば、５０℃）以上である場合には、電気泳動表示装置１００は安定した表示性能を保証できない。使用環境温度が下限値（例えば、−５℃）以下である場合にも同様である。温度センサー５１は、表示部３が使用される環境の温度を測定する。横軸は時間であり、温度センサー５１は使用環境温度を、常に測定してもよいし、一定の間隔を空けて測定してもよいし、所与のイベントに連動して測定してもよい。
【００６７】
図６（Ｂ）は、温度検出回路５３が検出する対象を示す。縦軸、横軸の意味は図６（Ａ）と同じである。温度検出回路５３は、使用環境温度情報１３６が上限値以上の温度（５３０Ａ）となった状態や下限値以下の温度（５３０Ｂ）となった状態、すなわち使用温度範囲外の状態を検出する。そして、履歴として残すために、使用温度範囲外の状態となったことを示す信号を検出温度情報１３８として積算処理回路５７に出力する。
【００６８】
また、本実施形態では、温度検出回路５３は、使用環境温度の最大値、最小値が更新された場合に、新たな最大値（５３０Ｃ）、最小値（５３０Ｄ）を検出する。そして、更新時刻を履歴として残すために、最大値、最小値が更新されたことを示す信号を検出温度情報１３８として積算処理回路５７に出力する。また、新たな最大値（５３０Ｃ）、最小値（５３０Ｄ）を記憶手段５９に書き込む。図６（Ｂ）の例では、最大値は５５℃であり、最小値は−１３℃であることが、記憶手段５９に書き込まれる。また、温度検出回路５３は、現在の温度を積算処理回路５７に出力し、記憶手段５９に書き込んでもよい。
【００６９】
図６（Ｃ）は、積算処理回路５７が積算する対象を示す。縦軸、横軸の意味は図６（Ａ）と同じである。本実施形態では、積算処理回路５７は、検出温度情報１３８に基づいて、使用温度範囲外の使用環境温度で電気泳動表示装置１００が使用された回数をカウントしたり、使用された場合の時間を積算したりする。例えば、表示部（ＥＰＤ）３に品質の劣化があった場合、これらの情報は使用環境による劣化か製品の製造不良による劣化かを判断する材料となる。
【００７０】
図６（Ｃ）の例では、電気泳動表示装置１００は、５７０Ａと５７０Ｂを積算した時間分、上限値以上の使用環境温度で使用されている。同じく、電気泳動表示装置１００は、５７０Ｃと５７０Ｄを積算した時間分、下限値以下の使用環境温度で使用されている。また、電気泳動表示装置１００は、上限値以上の使用環境温度で２回使用され（５７０Ａ、５７０Ｂ）、下限値以下の使用環境温度で２回使用されている（５７０Ｃ、５７０Ｄ）。これらの積算時間と使用温度範囲外での使用回数は、記憶手段５９に書き込まれる。
【００７１】
また、積算処理回路５７は、検出温度情報１３８に基づいて、新たな最大値（５３０Ｃ）、最小値（５３０Ｄ）が得られた日付の情報を記憶手段５９に書き込む。つまり、温度検出回路５３から最大値、最小値が更新されたことを示す信号（検出温度情報１３８）が送られたときの日付を記憶手段５９に書き込む。この日付は、例えば電気泳動表示装置１００がユーザーにより使用温度範囲外で使用されたのか、それとも製品の出荷・輸送中に使用温度範囲外の環境下にあったのかを判断する材料となる。
【００７２】
このように、図６（Ｂ）又は図６（Ｃ）における必要なデータ（５３０Ａ〜５３０Ｄ、５７０Ａ〜５７０Ｄ）は記憶手段５９に記憶され、使用環境温度情報１４０として制御部１に出力される。
【００７３】
１．６．表示モード
図７（Ａ）は、通常表示モードＭ１における電気泳動表示装置１００の表示例を示す。通常表示モードＭ１とは、制御部１が通常表示制御を行う場合の表示モードである。表示モードが通常表示モードＭ１のときは、表示部３には計時カウンター２からの時刻情報１２２に基づく時刻表示が行われる。本実施形態では、表示モードとして温度情報表示モードＭ２も定められており、表示モードが温度情報表示モードＭ２のときは、図７（Ｂ）又は図７（Ｃ）のような表示（使用環境温度表示）が行われる。
【００７４】
本実施形態では、電気泳動表示装置１００は外部入力として操作ボタンＡ（４４）、操作ボタンＣ（４６）、操作ボタンＤ（４７）、操作ボタンＥ（４８）を備える。以下、これらの操作ボタンをそれぞれＡボタン、Ｃボタン、Ｄボタン、Ｅボタンと表す。Ａボタン、Ｃボタン、Ｄボタン、Ｅボタンは、図１の外部入力検出部４におけるスイッチ４４、４６、４７、４８にそれぞれ対応する。Ａボタン、Ｃボタン、Ｄボタン、Ｅボタンが押されると、それぞれについて、外部入力情報１２４、１２６、１２７、１２８として制御部１に伝えられる。
【００７５】
本実施形態では、通常表示モードＭ１から温度情報表示モードＭ２への移行は、例えばＥボタンを押した後にＤボタンを長押しすることで行われる（Ｃ１）。そして、Ａボタンを押すか、一定の時間が経過する（例えば１分後）ことで、温度情報表示モードＭ２から通常表示モードＭ１へと戻る（Ｃ２）。なお、操作ボタンと表示モードの切り替えの対応はこの例に限らない。ＡボタンとＥボタンの割り当てが逆でも、他の操作ボタンが用いられてもよい。本実施形態では、Ｄボタンを長押しするという操作を温度情報表示モードＭ２への移行条件とすることで、通常のボタン操作により誤って温度情報表示モードＭ２へ移行してしまうことを防止する。また、温度情報表示モードＭ２への移行方法を、ユーザーに対して開示しなくてもよい。
【００７６】
図７（Ｂ）は、温度情報表示モードＭ２における電気泳動表示装置１００の表示例を示す。温度情報表示モードＭ２とは、制御部１が温度情報表示制御を行う場合の表示モードである。図７（Ｂ）では特に上限値（例えば、５０℃）以上の使用環境温度に関する情報が表示されている。例えば、電気泳動表示装置１００の使用環境温度のうち最高温度とそれを検出した日が表示されてもよい（７４Ａ）。この最高温度の情報を含む使用環境温度表示は、例えば表示部３に焼き付きが生じているような場合に、その原因を探る手がかりを与える。
【００７７】
また、電気泳動表示装置１００がどの程度、上限値以上の使用環境温度で使用されてきたのかを知る積算時間情報、回数が表示されてもよい（７６Ａ）。積算時間は上限値以上の使用環境温度であった時間（例えば、図６（Ｃ）の５７０Ａ、５７０Ｂ）を積算した時間である。この積算時間は、例えば表示部３に焼き付きなどの品質上の問題が生じる恐れを予測するのに用いることができる。そして、積算時間に基づいて、例えばメンテナンス時に表示部３を交換するか否かを判断してもよい。また、上限値以上の使用環境温度となった回数が多い場合には、ユーザーに対して注意を促すことができる。
【００７８】
図７（Ｃ）は、温度情報表示モードＭ２における電気泳動表示装置１００の別の表示例を示す。図７（Ｃ）では特に下限値（例えば、−５℃）以下の使用環境温度に関する情報が表示されている。例えば、電気泳動表示装置１００の使用環境温度のうち最低温度とそれを検出した日が表示されてもよい（７４Ｂ）。この最低温度の情報を含む使用環境温度表示は、例えば表示部３のコントラストが悪いとの理由で修理依頼がきた場合に、その原因が低温での使用にあるのか、機器の故障かを判断する材料を与える。
【００７９】
また、電気泳動表示装置１００がどの程度、下限値以下の使用環境温度で使用されてきたのかを知る積算時間情報、回数が表示されてもよい（７６Ｂ）。積算時間は下限値以下の使用環境温度であった時間（例えば、図６（Ｃ）の５７０Ｃ、５７０Ｄ）を積算した時間である。このとき、下限値以下の使用環境温度となった回数も表示されてもよい。この積算時間および回数は、ユーザー以外の者が、電気泳動表示装置１００が使用されている環境温度を知るための貴重なデータとなる。修理やメンテナンス時に、これらの情報に基づいて適切な修理、判断が可能になる。例えば、下限値以下の使用環境温度となる積算時間が長くかつ回数も多い場合には、表示部３のコントラストの低さや描画速度が遅さといった問題は、使用環境による可能性があるとの判断ができる。
【００８０】
本実施形態では、温度情報表示モードＭ２として、図７（Ｂ）の表示と図７（Ｃ）の表示とをＥボタンで相互に切り替えることができる（Ｃ３、Ｃ４）。これにより、上限値以上の使用環境温度、下限値以下の使用環境温度の両方についてのデータが取得可能である。また、図７（Ｂ）および図７（Ｃ）の表示では、現在の状態を把握するために現在温度が表示されてもよい。なお、表示部３の画面が十分大きい場合などには、Ｅボタンでの切り替えをすることなく、図７（Ｂ）および図７（Ｃ）の表示内容が一度に表示されてもよい。
【００８１】
このように、電気泳動表示装置１００が温度情報表示モードＭ２において使用環境温度に関する表示を行うことで、万一の故障や不具合等が生じた場合に、原因を特定する時間を早めることができ、ユーザーに対し良好なカスタマーサービスを提供できる。
【００８２】
１．７．駆動方法（フローチャート）
図８は、本実施形態に係る電気泳動表示装置１００の駆動方法を説明するフローチャート図である。
【００８３】
計時カウンター２は、基準信号１２０の入力があるか、つまり秒カウントがあるかを判断する（Ｓ１）。
【００８４】
Ｓ１で秒カウントがなかった場合（Ｓ１Ｎ）は、温度情報表示モードＭ２への移行要求があるか、すなわちＥボタンが押された後にＤボタンが長押しされたかどうか、を判断する（Ｓ１０）。
【００８５】
温度情報表示モードＭ２への移行要求がある場合（Ｓ１０Ｙ）、表示モードは通常表示モードＭ１から温度情報表示モードＭ２へと変更される（Ｓ１１）。
【００８６】
温度情報表示モードＭ２への変更後、再びＳ１に戻る。温度情報表示モードＭ２への移行要求がなかった場合（Ｓ１０Ｎ）にもＳ１に戻る。なお、移行要求があっても、Ｄボタンの長押しの完了後に温度情報表示モードＭ２への変更（Ｓ１１）が行われるので、それまで（例えば、Ｅボタンを押しただけのとき）はＳ１に戻ることになる（Ｓ１０Ｎ）。
【００８７】
Ｓ１で秒カウントがあった場合（Ｓ１Ｙ）は、通常表示モードＭ１か温度情報表示モードＭ２かが判断される（Ｓ２）。
【００８８】
通常表示モードＭ１の場合（Ｓ２Ｎ）には、計時カウンター２をカウントアップし（Ｓ３）、更に分桁上げがあれば表示部３の時刻表示を更新する（Ｓ４Ｙ、Ｓ５）。時刻を更新した後、再びＳ１に戻る。なお、分桁上げがない場合（Ｓ４Ｎ）にもＳ１に戻る。
【００８９】
温度情報表示モードＭ２の場合（Ｓ２Ｙ）には、図７（Ｂ）又は図７（Ｃ）に示された表示が行われる。ここで、高温情報表示とは、図７（Ｂ）の特に上限値（例えば、５０℃）以上の使用環境温度に関する情報の表示を指す。低温情報表示とは、図７（Ｃ）の特に下限値（例えば、−５℃）以下の使用環境温度に関する情報の表示を指す。これらの表示はＥボタンで相互に切り替えが可能であるため、まず、どちらの表示を要求しているかが判断される（Ｓ３０）。
【００９０】
高温情報表示が選択された場合には（Ｓ３０Ｙ）、図７（Ｂ）の高温情報表示が行われる（Ｓ３２）。また、低温情報表示が選択された場合には（Ｓ３０Ｎ）、図７（Ｃ）の低温情報表示が行われる（Ｓ３４）。
【００９１】
その後、通常表示モードＭ１への復帰要求があるか、すなわちＡボタンが押されたか、又は温度情報表示モードＭ２における最後の操作から所定の時間（例えば、１分）が経過したか否かが判断される（Ｓ４０）。復帰要求がない場合には、温度情報表示モードＭ２が継続されて（Ｓ４０Ｎ）、再びＳ３０に戻る。復帰要求がある場合（Ｓ４０Ｙ）には、計時カウンターの補正が行われる（Ｓ４２）。そして、表示モードが温度情報表示モードＭ２から通常表示モードＭ１へと変更されて（Ｓ４４）、Ｓ１に戻る。
【００９２】
ここで、計時カウンターの補正（Ｓ４２）は、高温情報表示Ｓ３２又は低温情報表示Ｓ３４を行った時間を、計時カウンター２に対して補正する処理である。例えば、コントローラー１２（図１参照）は停止時間カウンター（図外）を含み、高温情報表示Ｓ３２又は低温情報表示Ｓ３４を行う間には停止時間カウンターを動作させ、その値に基づいて、制御信号１３２で計時カウンター２を補正してもよい。
【００９３】
本実施形態に係る電気泳動表示装置１００の駆動方法によって、使用環境温度に関する表示が行われるため、万一の故障や不具合等が生じた場合に、原因を特定する時間を早めることができ、ユーザーに対し良好なカスタマーサービスを提供できる。
【００９４】
２．適用例
本発明の適用例について図９（Ａ）〜図９（Ｂ）を参照して説明する。前記の電気泳動表示装置１００は、様々な電子機器に適用され得る。
【００９５】
例えば、図９（Ａ）は電子機器の１つである腕時計１０００の正面図である。腕時計１０００は、時計ケース１００２と、時計ケース１００２に連結された一対のバンド１００３とを備える。時計ケース１００２の正面には、電気泳動表示装置１００からなる表示部１００４が設けられ、表示部１００４は例えば高温情報表示を行う。時計ケース１００２の側面にはＡボタン（１０４４）が設けられ、時計ケース１００２の正面にはＣボタン（１０４６）、Ｄボタン（１０４７）、Ｅボタン（１０４８）が設けられている。これらの操作ボタンは電気泳動表示装置１００に対する外部入力として用いられる。
【００９６】
また、例えば図９（Ｂ）は電子機器の１つである携帯端末機器１１００の正面図である。携帯端末機器１１００はケース１１０２の正面に、電気泳動表示装置１００からなる表示部１１０４が設けられている。表示部１１０４は例えば高温情報表示を行う。ケース１１０２の正面にはＡボタン（１１４４）、Ｃボタン（１１４６）、Ｄボタン（１１４７）、Ｅボタン（１１４８）が設けられている。これらの操作ボタンは電気泳動表示装置１００に対する外部入力として用いられる。
【００９７】
電気泳動表示装置１００を含む電子機器は、使用環境温度に関する表示が行われるため、万一の故障や不具合等が生じた場合に、原因を特定する時間を早めることができ、ユーザーに対し良好なカスタマーサービスを提供できる。
【００９８】
３．その他
前記の実施形態においては、電気泳動表示装置は、黒粒子および白粒子による白黒二粒子系の電気泳動が行われるものに限られず、青白等の一粒子系の電気泳動を行っても良く、また、白黒以外の組み合わせでも構わない。
【００９９】
そして、電気泳動表示装置に限らず、メモリー性の表示手段に前記の駆動方法が適用されてもよい。例えば、ＥＣＤ（Electrochromic Display＝エレクトロクロミックディスプレイ）、強誘電性液晶ディスプレイ、コレステリック液晶ディスプレイ等である。
【０１００】
さらに、前記の適用例では、腕時計に限らず、置き時計、掛け時計、懐中時計などの時計機能を有する機器に広く適用できる。
【０１０１】
これらの例示に限らず、本発明は、実施の形態で説明した構成と実質的に同一の構成（例えば、機能、方法および結果が同一の構成、あるいは目的および効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１０２】
１…制御部、２…計時カウンター、３…表示部（ＥＰＤ）、４…外部入力検出部、５…温度検出部、１０…表示制御回路、１２…コントローラー、２０…マイクロカプセル、２６…黒色粒子、２７…白色粒子、３０…素子基板、３１…対向基板、３２…電気泳動素子、３５…画素電極（駆動電極）、３５Ａ…画素電極（駆動電極）、３５Ｂ…画素電極（駆動電極）、３７…共通電極、４０…画素、４０Ａ…画素、４０Ｂ…画素、４１…駆動用ＴＦＴ（Thin Film Transistor）、４４…外部入力（操作ボタンＡ、Ａボタン）、４６…外部入力（操作ボタンＣ、Ｃボタン）、４７…外部入力（操作ボタンＤ、Ｄボタン）、４８…外部入力（操作ボタンＥ、Ｅボタン）、４９…低電位電源線（Ｖｓｓ）、５０…高電位電源線（Ｖｄｄ）、５１…温度センサー、５３…温度検出回路、５５…共通電極配線（Ｖｃｏｍ）、５７…積算処理回路、５９…記憶手段、６１…走査線駆動回路、６２…データ線駆動回路、６４…共通電源変調回路、６６…走査線、６８…データ線、７０…ラッチ回路、７４Ａ…最高温度の表示、７４Ｂ…最低温度の表示、７６Ａ…積算時間、７６Ｂ…積算時間、８０…スイッチ回路、９１…第１のパルス信号線（Ｓ１）、９２…第２のパルス信号線（Ｓ２）、１００…電気泳動表示装置、１２０…基準信号、１２２…時刻情報（カレンダー情報）、１２２Ａ〜１２２Ｆ…時刻情報（カレンダー情報）、１２４…外部入力情報、１２６…外部入力情報、１２７…外部入力情報、１２８…外部入力情報、１３０…制御信号、１３２…制御信号、１３２Ａ〜１３２Ｆ…制御信号（カウンター値調整信号）、１３２Ｇ…制御信号（イネーブル信号）、１３４…内部信号、１３６…使用環境温度情報、１３８…検出温度情報、１４０…使用環境温度情報、２０１…秒カウンター、２０２…分カウンター、２０３…時カウンター、２０４…日・週カウンター、２０５…月カウンター、２０６…年カウンター、２１１…分桁上げ許可信号、２１２…時桁上げ許可信号、２１３…日・週桁上げ許可信号、２１４…月桁上げ許可信号、２１５…年桁上げ許可信号、２２０…秒桁上げ信号、２２１…分桁上げ信号、２２２…時桁上げ信号、２２３…日・週桁上げ信号、２２４…月桁上げ信号、２２５…年桁上げ信号、２３０…論理積回路、２３１…論理積回路、２３２…論理積回路、２３３…論理積回路、２３４…論理積回路、２３５…論理積回路、３５０…駆動電極層、３６０…電気泳動表示層、３７０…共通電極層、５３０Ａ…上限値以上の温度、５３０Ｂ…下限値以下の温度、５３０Ｃ…最大値、５３０Ｄ…最小値、５７０Ａ…上限値以上の時間、５７０Ｂ…上限値以上の時間、５７０Ｃ…下限値以下の時間、５７０Ｄ…下限値以下の時間、１０００…腕時計、１００２…時計ケース、１００３…バンド、１００４…表示部、１０４４…Ａボタン、１０４６…Ｃボタン、１０４７…Ｄボタン、１０４８…Ｅボタン、１１００…携帯端末機器、１１０２…ケース、１１０４…表示部、１１４４…Ａボタン、１１４６…Ｃボタン、１１４７…Ｄボタン、１１４８…Ｅボタン、Ｍ１…通常表示モード、Ｍ２…温度情報表示モード
【図１】
0005445768.tif 000002
【図２】
0005445768.tif 000003
【図３】
0005445768.tif 000004
【図４】
0005445768.tif 000005
【図５】
0005445768.tif 000006
【図６】
0005445768.tif 000007
【図７】
0005445768.tif 000008
【図８】
0005445768.tif 000009
【図９】
0005445768.tif 000010